(57)【要約】【課題】  アームを加工することなく、簡単な構成にてトレースを配することができるディスク装置及びアーム・コイルサポート・アセンブリを提供する。【解決手段】  ヘッドとＦＰＣとを接続するトレース１１８は、アーム１１１ａ、１１１ｂのディスクの記録面に対向する面とは反対側の反対面上に沿って配され、アーム１１１ａ、１１１ｂを支持すると共にＶＣＭコイルを保持するコイルサポート１１２とアーム１１１ａ、１１１ｂとの結合部近傍にて略垂直方向に折り曲げられＦＰＣと接続される。コイルサポート１１２は、トレース１１８が挿入される間隙２３１と、トレース１１８が配される面とは間隙２３１を隔てて設けられる押さえ部２３２とを有する押さえ機構２３０を有し、この押さえ機構２３０により、折り曲げによるアーム１１１ａ、１１１ｂの反対面からのトレース１１８の浮き上がりを防止する。【選択図】  図９
2006004513.tif 000002
【特許請求の範囲】
【請求項１】
１又は複数のディスクに対して情報の記録又は再生の少なくともいずれか一方を行うヘッドと、
前記ヘッドを支持するアームと、
フレキシブルプリント基板と、
前記アームの前記ディスクの記録面に対向する面とは反対側の面である反対面上に配され、一端が前記ヘッドと接続され、他端が折り曲げられ前記フレキシブルプリント基板と接続されるか、又は他端が折り曲げられた前記フレキシブル基板と接続されるトレースと、
前記折り曲げによる前記反対面からの浮き上がりを防止する押さえ機構とを有する
ことを特徴とするディスク装置。
【請求項２】
前記押さえ機構は、前記トレースが配される面とは間隙を隔てて設けられる押さえ部を有し、前記間隙に前記トレースが挿入される
ことを特徴とする請求項１記載のディスク装置。
【請求項３】
前記トレースの他端は、前記対向する面側へ略垂直に折り曲げられ前記フレキシブル基板と接続され、
前記押さえ機構は、前記折り曲げによる前記トレースの前記反対面からの浮き上がりを防止する
ことを特徴とする請求項１記載のディスク装置。
【請求項４】
ＶＣＭコイルをサポートすると共に前記アームを支持するコイルサポートを有し、
前記コイルサポートは、一体成型されたものである
ことを特徴とする請求項１記載のディスク装置。
【請求項５】
ＶＣＭコイルをサポートすると共に前記アームを支持するコイルサポートを有し、
前記押さえ機構は、前記トレースを挿入する間隙を隔てて設けられる押さえ部を有し、
前記コイルサポート及び前記押さえ部は、モールド樹脂により一体成型されたものである
ことを特徴とする請求項１記載のディスク装置。
【請求項６】
前記トレースの他端は、折り曲げられた前記フレキシブル基板と接続され、
前記押さえ機構は、前記折り曲げによる前記トレース及び前記プリント配線基板の前記反対面からの浮き上がりを防止する
ことを特徴とする請求項１記載のディスク装置。
【請求項７】
前記ディスクは１枚である
ことを特徴とする請求項１記載のディスク装置。
【請求項８】
前記ディスクは、１枚であって、その両面に記録面が形成されたものであり、
前記ヘッド及びアームは、前記記録面のそれぞれに対して設けられる
ことを特徴とする請求項１記載のディスク装置。
【請求項９】
前記ディスクは、２枚以上であって、その最外面に記録面が形成されたものであり、
前記押さえ機構は、前記最外面の記録面に対して設けられた前記アームの前記反対面に配される前記トレースの浮き上がりを防止する
ことを特徴とする請求項１記載のディスク装置。
【請求項１０】
前記コイルサポートの側面に前記フレキシブルプリント基板が固定される金属板を有し、
前記金属板上にて前記トレースと前記フレキシブルプリント基板とが接続される
ことを特徴とする請求項４記載のディスク装置。
【請求項１１】
１又は複数のディスクに対して情報の記録又は再生の少なくともいずれか一方を行うヘッドを支持するアームと、
前記アームを支持するコイルサポートとを有し、
前記コイルサポートは、前記アームの前記ディスクの記録面に対向する面とは反対側の面である反対面上に配されるトレースを挿入する間隙を有する
ことを特徴とするアーム・コイルサポート・アセンブリ。
【請求項１２】
前記コイルサポートは、前記トレースが配される面とは前記間隙を隔てて設けられる板部を有し、
前記板部は、一端が前記ヘッドと接続され、他端が折り曲げられ前記フレキシブルプリント基板と接続されるか、又は他端が折り曲げられた前記フレキシブル基板と接続される前記トレースを前記アームの前記反対面上に配した際に、前記折り曲げによる前記反対面からの浮き上がりを防止する
ことを特徴とする請求項１１記載のアーム・コイルサポート・アセンブリ。
【請求項１３】
前記コイルサポートは、一体成型されたものである
ことを特徴とする請求項１１記載のアーム・コイルサポート・アセンブリ。
【請求項１４】
前記コイルサポートは、モールド樹脂により一体成型されたものである
ことを特徴とする請求項１１記載のアーム・コイルサポート・アセンブリ。
【発明の詳細な説明】
【技術分野】
【０００１】
本発明はディスク装置及びアーム・コイルサポート・アセンブリに関し、特に、ユーザデータが記録されるディスクが１枚のハードディスク・ドライブに好適なディスク装置及びこれに搭載されるアーム・コイルサポート・アセンブリに関する。
【背景技術】
【０００２】
データ記憶装置として、光ディスクや磁気テープなどの様々な態様のメディアを使用する装置が知られているが、その中で、ハードディスク・ドライブ（ＨＤＤ）は、コンピュータの記憶装置として広く普及し、現在のコンピュータ・システムにおいて欠かすことができない記憶装置の一つとなっている。さらに、コンピュータ・システムにとどまらず、動画像記録再生装置、カー・ナビゲーション・システム、あるいはデジタル・カメラなどで使用されるリムーバブル・メモリなど、ＨＤＤの用途は、その優れた特性により益々拡大している。
【０００３】
ＨＤＤは、データを記録する磁気ディスクと、磁気ディスクとの間において、データの書き込み及び読み出しを行うヘッドを備えている。ヘッドは、薄膜素子であるヘッド素子部と、ヘッド素子部がその面上に配置されたスライダとを有している。ヘッド素子部は、磁気ディスクへの記録データに応じて電気信号を磁界に変換する記録素子部と磁気ディスクからの磁界を電気信号に変換する再生素子部とを有している。典型的には、記録素子部と再生素子部とが１つの薄膜素子に一体的に形成されている。
【０００４】
ＨＤＤは、ヘッドを磁気ディスク上の所望の位置に移動するアクチュエータをさらに備えている。アクチュエータはボイス・コイル・モータ（ＶＣＭ）によって駆動され、揺動軸を中心として揺動することによって、回転する磁気ディスク上でヘッドを半径方向に移動する。これによって、ヘッド（ヘッド素子部）が磁気ディスクに形成された所望のトラックにアクセスし、データの読み出し／書き込み処理を行うことができる。
【０００５】
このため、ＨＤＤは、ヘッドを保持し、ディスク上の所定の位置に回転移動するヘッド・スタック・アセンブリ（Head Stack Assembly：ＨＳＡ）を有する。ヘッド・スタック・アセンブリは、ＶＣＭコイル、ヘッドを保持するジンバル、サスペンション及びアームなどからなるヘッド・ジンバル・アセンブリ（Head Gimbal Assembly：ＨＧＡ）、軸受けユニット並びにフレキシブルプリント基板（Flexible Printed Circuit：ＦＰＣ）などから構成される。
【０００６】
ＦＰＣは、ヘッドからの信号と、ＶＣＭコイルへの駆動電流を伝達する回路基板であり、ヘッド素子部で扱う信号を増幅するプリアンプなどが搭載される。
【０００７】
ここで、ＨＤＤは、ヘッドからの信号をＦＰＣに伝送したり、ＦＰＣからヘッドへ信号を伝送したりするトレースを有する。トレースは、ヘッドからフレキシブルプリント基板に設けられる端子までの配線部分であり、一端がヘッドに接続され、他端がＦＰＣと接続される。このトレースは、ＩＬＳ（Integrated Leads Suspension）又はＦＯＳ（Flex On Suspension）などとも呼ばれる。
【０００８】
従来、例えば特許文献１には、ヘッドとＦＰＣとの間を接続するトレースを、アームに段差部又は溝部を設け、この段差部又は溝部をガイドとして配する磁気ディスク装置が開示されている。この公報に記載の磁気ディスク装置におけるアクチュエータ部分は、磁気ヘッドスライダを弾性的に支持する複数のジンバルと、このジンバルを支持する剛性を有する複数のガイドアーム（アーム）と、このアームを締結部材を介して支持し、外部と接続したＦＰＣの端子が側面に設けられたアクチュエータ（キャリッジ（ＶＣＭコイルを保持するコイルサポート）及びＶＣＭ）と、ＦＰＣの端子と磁気ヘッド素子間の電気信号の伝送を行うよう、アームの側面、及びジンバルの磁気ディスクと平行な平面部に配線された複数のプリント配線パターン（トレース）とを有する。
【０００９】
上記アームは、その側縁に横凸形状の段差を有し、この段差の上下面にトレースを貼り付けて配線される。これは、近年の磁気ディスク装置の小型薄型化の要望により磁気ディスク間の間隔が狭まっており、ケーブルをアームの表面に配線することが困難であること、及び段差部をガイドとすることで配線を容易にするためである。
【特許文献１】特開平９−３２１０１０号公報
【発明の開示】
【発明が解決しようとする課題】
【００１０】
しかしながら、上述の特許文献１に記載の技術においては、アームの側縁部に横凸形状の段部を形成したり、又はアームの上下面の側縁部に溝部を形成したりするなどアームを加工する必要があり、製造工程が複雑になるという問題点がある。一方で、アームを加工するなどしなければ、磁気ディスクとケーブルとが接触する恐れがありケーブルをアームの表面に配線することは困難である。
【００１１】
本発明は、このような問題点を解決するためになされたものであり、アームを加工することなく、簡単な構成にてトレースを配することができるディスク装置及びアーム・コイルサポート・アセンブリを提供することを目的とする。
【課題を解決するための手段】
【００１２】
上述した目的を達成するために、本発明にかかるディスク装置は、１又は複数のディスクに対して情報の記録又は再生の少なくともいずれか一方を行うヘッドと、前記ヘッドを支持するアームと、フレキシブルプリント基板と、前記アームの前記ディスクの記録面に対向する面とは反対側の面である反対面上に配され、一端が前記ヘッドと接続され、他端が折り曲げられ前記フレキシブルプリント基板と接続されるか、又は他端が折り曲げられた前記フレキシブル基板と接続されるトレースと、前記折り曲げによる前記反対面からの浮き上がりを防止する押さえ機構とを有することを特徴とする。
【００１３】
対向面にトレースを配する場合は溝等のトレースとディスクとの接触防止するためにトレースを接着するなどの必要があったが、本発明においては、アームのディスクの記録面とは離隔する側の反対面上に沿ってトレースを配するため、特にトレースをアーム面に接着等する必要がない。ここで、トレースを反対面上を這わせるとフレキシブル基板（ＦＰＣ）と接続する際に、トレース及びフレキシブル基板のいずれか一方を折り曲げて接続する必要があるが、押さえ機構によりその曲げ部におけるトレースのアーム面からの浮き上がりを防止することができる。
【００１４】
また、前記押さえ機構は、前記トレースが配される面とは間隙を隔てて設けられる押さえ部を有し、前記間隙に前記トレースが挿入されるものとすることができ、間隙にトレースを挿入して折り曲げることにより、トレースの折り曲げによる反り返しを防止することができる。
【００１５】
更に、前記トレースの他端は、前記対向する面側へ略垂直に折り曲げられ前記フレキシブル基板と接続され、前記押さえ機構は、前記折り曲げによる前記トレースの前記反対面からの浮き上がりを防止することができる。
【００１６】
更にまた、ＶＣＭコイルをサポートすると共に前記アームを支持するコイルサポートを有し、前記コイルサポートは、一体成型されたものとすることができる。
【００１７】
また、ＶＣＭコイルをサポートすると共に前記アームを支持するコイルサポートを有し、前記押さえ機構は、前記トレースを挿入する間隙を隔てて設けられる押さえ部を有し、前記コイルサポート及び前記押さえ部は、モールド樹脂により一体成型されたものとすることができ、モールド樹脂により一体成型することにより、製造コストを低減することができる。
【００１８】
この場合、前記コイルサポートの側面に前記フレキシブルプリント基板が固定される金属板を有し、前記金属板上にて前記トレースと前記フレキシブルプリント基板とが接続されることができる。
【００１９】
また、前記トレースの他端は、折り曲げられた前記フレキシブル基板と接続され、前記押さえ機構は、前記折り曲げによる前記トレース及び前記プリント配線基板の前記反対面からの浮き上がりを防止することができる。
【００２０】
また、前記ディスクは、１枚であって、片面又は両面に記録面が形成されたものとすることができ、両面に記録面が形成されたものとした場合、前記ヘッド及びアームは、前記記録面のそれぞれに対して設けられるものとすることができる。
【００２１】
また、前記ディスクは、２枚以上であって、その最外面に記録面が形成されたものであり、前記押さえ機構は、前記最外面の記録面に対して設けられた前記アームの前記反対面に配される前記トレースの浮き上がりを防止するものとすることができ、複数枚から構成される場合、アームの一方側にディスクが配置されない最上面若しくは最下面、又は最上面及び最下面におけるトレースをアームの反対面上に配した際の浮き上がりを防止することができる。
【００２２】
本発明にかかるアーム・コイルサポート・アセンブリは、１又は複数のディスクに対して情報の記録又は再生の少なくともいずれか一方を行うヘッドを支持するアームと、前記アームを支持するコイルサポートと有し、前記コイルサポートは、前記アームの前記ディスクの記録面に対向する面とは反対側の面である反対面上に配されるトレースを挿入する間隙を有することを特徴とする。
【００２３】
本発明においては、コイルサポートがトレースを挿入する間隙を有するため、トレースを折り曲げてフレキシブル基板と接続した際のトレースの曲げ部の反り返しを防止することができる。また、トレースにフレキシブル基板を折り曲げて接続した場合には、フレキシブル基板の曲げ部の反り返しを防止することができる。
【００２４】
また、前記コイルサポートは、前記トレースが配される面とは前記間隙を隔てて設けられる板部を有し、前記板部は、一端が前記ヘッドと接続され、他端が折り曲げられ前記フレキシブルプリント基板と接続されるか、又は他端が折り曲げられた前記フレキシブル基板と接続される前記トレースを前記アームの前記反対面上に配した際に、前記折り曲げによる前記反対面からの浮き上がりを防止することができる。
【発明の効果】
【００２５】
本発明によれば、アームを加工することなく、簡単な構成にて、ヘッドとフレキシブル基板とを接続するトレースを配することができる。
【発明を実施するための最良の形態】
【００２６】
以下、本発明を適用した具体的な実施の形態について、図面を参照しながら詳細に説明する。この実施の形態は、本発明を、モールド樹脂により一体成型されたコイルサポートにより、ヘッドとＦＰＣとを接続するトレースの配線を容易にすると共に低コストで製造可能なアーム・コイルサポート・アセンブリ及びこれを搭載したハードディスク装置に適用したものである。
【００２７】
実施の形態１．
図１は、本実施の形態に係るハードディスク・ドライブ（ＨＤＤ）１００の概略構成を示す図である。図１に示すように、ＨＤＤ１００は、データが記録される磁気ディスク１０１と、磁気ディスク１０１を所定の速度で回転駆動する図示せぬスピンドル・モータを固定するベース１０２と、磁気ディスク１０１をスピンドル・モータに固定するクランプ１０３とを有する。ＨＤＤ１００の非動作時には、磁気ディスク１０１は静止している。
【００２８】
磁気ディスク１０１は、データを記憶するメディア（記録ディスク）であって、磁性層が磁化されることによってデータを記録する不揮発性の記録ディスクであり、本実施の形態においては、一枚構成で、両面記録となっている。また、ベース１０２は、ガスケット（不図示）を介してベース１０２の上部開口を塞ぐカバー（不図示）と固定することによってディスク・エンクロージャを構成し、ＨＤＤ１００の各構成要素を密閉状態で収容することができる。
【００２９】
更に、ＨＤＤ１００は、磁気ディスク１０１の記録領域にアクセスしデータを記録したり、データを再生したりするためのヘッド１０５を有する。ヘッド１０５は、ヘッド素子部とヘッド素子部が固定されたスライダとを有している。ヘッド素子部には、磁気ディスク１０１への記録データに応じて電気信号を磁界に変換する記録ヘッド部、及び磁気ディスク１０１からの磁界を電気信号に変換する再生ヘッド部が一体的に形成されている。尚、記録ヘッド部と再生ヘッド部を別々に形成することも可能である。また、記録ヘッド部と再生ヘッド部のいずれか一方のみを有するＨＤＤに本発明を適用することが可能である。
【００３０】
ＨＤＤ１００は、更に、ヘッドを保持して磁気ディスク１０１の所定の位置に回転移動させるアクチュエータ１０６を有し、アクチュエータ１０６は駆動機構としてのボイス・コイル・モータ（Voice Coil Motor：ＶＣＭ）１０９を備える。ＶＣＭ１０９は、ＶＣＭコイル１１３及び図示せぬＶＣＭマグネットを有し、ＶＣＭコイル１１３はＶＣＭマグネットが発生する磁界により駆動力を発生する。
【００３１】
アクチュエータ１０６は、揺動軸１２７に揺動自在に保持されており、ヘッド１０５を保持するサスペンション１１０、サスペンション１１０を支持するアーム１１１、アーム１１１に結合されるコイルサポート１１２、軸受けユニット１０７、並びにヘッド１０５からの信号及びＶＣＭコイル１１３への駆動電流を伝達するフレキシブルプリント回路基板（Flexible Printed Circuit：ＦＰＣ）１１７を有する。
【００３２】
ここで、ヘッド素子部を保持するスライダ（図示せず）、後述するジンバル（図示せず）、サスペンション１１０、及びアーム１１１からヘッド・ジンバル・アセンブリ（ＨＧＡ）が構成され、ＶＣＭコイル１１３、ＨＧＡ、軸受けユニット１０７及びＦＰＣ１１７からヘッド・スタック・アセンブリ（ＨＳＡ）が構成される。ＶＣＭ１０９は、ＨＳＡに対する駆動力を発生する。
【００３３】
サスペンション１１０の構成については後に詳細に説明する。アーム１１１は、典型的には、アルミニウム合金あるいはステンレス系金属などからなり、エッチングによって揺動軸１２７が嵌挿する後側の開口部などの必要形状が形成されている。このアーム１１１の磁気ディスク１０１の記録面と対向する側の面上には、サスペンション１１０がかしめによって接合される。動特性の観点から、サスペンション１１０の質量は、揺動軸中心とヘッド１０５のスライダとを結ぶ線について対称であることが好ましい。また、ねじれモードの振動を低減する観点から、アーム１１１の揺動軸中心とヘッド１０５のスライダとを結ぶ線について、アーム１１１の外形は対称形であることが好ましい。
【００３４】
揺動軸１２７に揺動自在に保持されたコイルサポート１１２は、揺動軸１２７に対してアーム１１１と反対側において、フラットコイル（ＶＣＭコイル）１１３を保持する。また、１１４はベース１０２に固定された上側ステータ・マグネット保持板である。図示されていないが、フラットコイル１１３の下側には、上側ステータ・マグネット保持板１１４との間においてフラットコイル１１３を挟むように、下側ステータ・マグネット保持板が存在する。ＶＣＭ１０９は、フラットコイル１１３、上側ステータ・マグネット保持板１１４に固定されたステータ・マグネット（不図示）、及び下側ステータ・マグネット保持板に固定されたステータ・マグネット（不図示）を備えている。
【００３５】
また、ＦＰＣ１１７は、磁気ヘッド素子部にて扱う信号を増幅するプリアンプが搭載されている。なお、プリアンプは、ＦＰＣ１１７ではなく、信号処理基板に搭載してもよい。そして、このＦＰＣ１１７とヘッド１０５との間には、これらを電気的に接続するフレキシブルプリント配線（トレース）１１８が配される。このトレース１１８は、後述するように、一端がヘッド１０５に接続され、他端はＦＰＣ１１７と接続されるため、ヘッド１０５側においては、ディスク１０１の記録面と対抗する面（以下、対向面という。）側上を這うことになる。したがって、トレース１１８が記録面と接触することを防止するため、アーム１１１の途中、好ましくはヘッド１０５にできるだけ近い側にて対向面からアーム１１１の側面をつたって、対向面とは反対側の面（以下、反対面という。）側に到るよう折り曲げられ、アーム１１１の反対面上の縁に沿ってその近傍に配される。そして、ＦＰＣ１１７側においては、ＦＰＣ１１７と接続するためトレース１１８が反対面から対向面側に略垂直に曲げられて、ＦＰＣ１１７と接続される。
【００３６】
このため、コイルサポート１１２は、トレース１１８の上記折り曲げによる反り返り、ディスク１０１の回転等によって、トレース１１８が反対面から浮き上がってしまうことを防止するための押さえ機構を有する。押さえ機構は、トレース１１７が配される面とは所定の間隙を隔てて設けられた押さえ部を有しており、この間隙にトレース１１８が遊挿される。ＦＰＣ１１７は、端子が設けられた基板面がコイルサポート１１２の側面に固定され、折り曲げられたトレース１１８の端部とその端子とが接続される。このように、コイルサポート１１２に形成された押さえ機構は、これのみでトレース１１８のアーム面からの浮き上がりを防止する機能を有し、曲げ部の折り曲げによる反発力によって生じる浮き上がり等を防止し、よって、トレース１１８の浮き上がりによるフラッタを抑制することができる。
【００３７】
ＨＤＤ１００は、更に磁気ディスク１０１の回転が停止するときには、ヘッド１０５を磁気ディスク１０１の面上からから退避させるためのランプ１１５を有する。また、サスペンション１１０の先端部には、タブ１１６が形成されており、ランプ１０５は、タブ１１６の軌道から外れたところにある支柱によってベース１０２の底面あるいは側面に取り付けられている。
【００３８】
このようにランプ１１５を磁気ディスク１０１と重ならないように配置することによって、回転する磁気ディスク１０１とランプ１１５との間に生じうる空気摩擦の発生を防止し、風損による電力の消費を抑制することができる。また、ランプ１１５によって磁気ディスク１０１上の空気流が乱され、ヘッド１０５の浮上の安定が妨げられることを防止することができる。
【００３９】
そして上述のＶＣＭ１０９は、コントローラ（不図示）からフラットコイル１１３に流される駆動信号に応じて、揺動軸１２７を中心としてキャリッジ１０８を揺動し、磁気ディスク１０１の記録面上にヘッド１０５を移動する、もしくは、磁気ディスク１０１の記録面上からランプ１１５にヘッド１０５移動することができる。
【００４０】
磁気ディスク１０１からのデータの読み取り／書き込みのため、アクチュエータ１０６は回転している磁気ディスク１０１表面のデータ領域上空にヘッド１０５を移動する。アクチュエータ１０６が揺動することによって、ヘッド１０５が磁気ディスク１０１の記録面の半径方向に沿って移動する。これによって、ヘッド１０５が所望のトラックにアクセスすることができる。ヘッド１０５は、磁気ディスク１０１に対向するスライダのＡＢＳ（Air Bearing Surface）面と回転している磁気ディスク１０１との間の空気の粘性による圧力が、サスペンション１１０によって磁気ディスク１０１方向に加えられる圧力とバランスすることによって、ヘッド１０５は磁気ディスク１０１上を一定のギャップを置いて浮上する。
【００４１】
磁気ディスク１０１の回転が停止すると、ヘッド１０５が磁気ディスク１０１表面に接触し、吸着現象によってデータ領域の傷の発生、磁気ディスクの回転不能などの問題が起こるため、磁気ディスク１０１の回転が停止するときには、アクチュエータ１０６はヘッド１０５を磁気ディスク表面からアンロードし、ヘッド１０５をランプ１１５に退避させる。
【００４２】
なお、本実施の形態においては、磁気ディスク１０１が一枚構成で、両面記録のＨＤＤを説明しているが、片面記録であってもよい。片面記録の磁気ディスクを備えるＨＤＤにおいては、下面側のサスペンションのタブを考慮する必要がないため、ランプの底面をベースの手面に確実に固定することができる。
【００４３】
次に、サスペンション１１０の構成について詳述する。本実施の形態におけるサスペンション１１０は、ランプ１１５及び停止位置（退避位置）にあるアクチュエータ１０６を磁気ディスク１０１外周端部から離間して配置するため、その先端中央部にタブ１１６を備えている。タブ１１６はランプ１１５が乗り上げる、あるいは、ランプ１１５から離れるタイミングにおいて、ヘッド１０５が回転する磁気ディスク１０１上を飛行していることが必要である。このため、タブ１１６は、このような条件を満たすように所定長以上の長さを有する。また、タブ１１６及びサスペンション１１０は、長いタブ１１６に対応した剛性を保つように形成されているが、サスペンション１１０の構成はこれに限るものではない。
【００４４】
図２は、本実施の形態におけるヘッド・サスペンション・アセンブリ４００の概略構成を示す平面図、図３はその斜視図である。図４は、ヘッド・サスペンション・アセンブリ４００の各構成要素を示す分解斜視図である。図２（ａ）、図３（ａ）、図４は、磁気ディスク１０１の記録面側から見たヘッド・サスペンション・アセンブリ４００の構成を示し、図２（ｂ）、図３（ｂ）はその背面側から見たヘッド・サスペンション・アセンブリ４００の構成を示している。本形態において、ヘッド・サスペンション・アセンブリ４００は複数の構成部材によって構成されており、ヘッド１０５、トレース１１８、及び、サスペンション１１０を備えている。
【００４５】
サスペンション１１０は複数の構成部材によって構成されており、ロード・ビーム４０４と、ロード・ビーム４０４の前部に例えばレーザ・スポット溶接によって溶着されるジンバル４０３と、ロード・ビーム４０４のヘッド１０５を保持する側の背面側であって後部に溶着され固定されるマウント・プレート４０２とを有する。
【００４６】
ロード・ビーム４０４は、ステンレス系金属などの板材によって形成され、精密な薄板ばねとして機能する。ロード・ビーム４０４の形状は、薄くて軽量であると共に必要な剛性が保てるように工夫されている。また、ロード・ビーム４０４の前側先端部には、先端部から突出するタブ１１６が形成されている。タブ１１６は、ロード・ビーム４０４と一体形成されており、ロード・ビーム４０４の先端部から前方に向かって延出している。一体形成することによって、ロード・ビーム４０４（及びサスペンション１１０）の重量の増加を抑制し、動特性の低下を抑制することができる。
【００４７】
マウント・プレート４０２、ジンバル４０３は、ステンレス系金属で形成することができ、また、ジンバルは、所望の弾性を有し変形可能である。更に、ジンバル４０３の前端部には、ジンバル・タブ４３１が形成されている。ジンバル・タブ４３１は、ヘッド１０５がランプ１１５に退避しているときに外部からの衝撃を受けた場合に、ランプ１１５と接触することによって、ヘッド・サスペンション・アセンブリ４００の損傷を防止することができる。
【００４８】
このジンバル４０３においてジンバル・タブ４３１の後ろ側には開口４３２が形成されている。開口の前側（ジンバル・タブ４３１側）一辺の略中央には、開口４３２の中央に向かって突出した舌片状のジンバル・タング４３３が形成されている。そして、この開口４３２の前側一辺から後側へ突出したジンバル・タング４３３には、ヘッド１０５が例えば低弾性エポキシ樹脂などによって固着される。
【００４９】
また、ヘッド１０５とＦＰＣ１１７との間を電気的に接続する上述したトレース１１８は、複数本のリードが、互いに接触することなく、ポリイミド・フィルムによって形成した絶縁シートに一体的に形成されている。各リードの一端は、ヘッド・アンプなどの内部回路と接続するマルチコネクタを構成する。ヘッド１０５側における各リードの他端は、ヘッド１０５のスライダに形成されたパッドに半田もしくはゴールド・ボンディングにより接続される。このトレース１１８はジンバル４０３に例えば接着剤などによって固定され、必要に応じて、エポキシ樹脂などがその外側をカバーする。尚、トレース１１８はジンバル４０３と一体に形成することも可能である。
【００５０】
次に、本実施の形態におけるアーム・コイルサポート・アセンブリについて詳細に説明する。図５、図６は、本実施の形態におけるキャリッジ部分を拡大して示す斜視図である。図５、図６において、上述のトレース１１８等は図示を省略している。アーム・コイルサポート・アセンブリは、アーム１１１とコイルサポート１１２とからなる組立体であり、本実施の形態におけるコイルサポート１１２は、上述した如く図５中に破線領域Ａで示す押さえ機構２００を有し、これにより、トレース１１８をアーム１１１の反対面からの浮き上がりを防止して反対面上を這わせる補助をすると共に、コイルサポート１１２の側面部に固定されるＦＰＣ１１７との接続のために曲げられた曲げ部の反り返りによる浮き上がり防止するものである。
【００５１】
また、図７は、アーム・コイルサポート・アセンブリにＦＰＣ１１７、トレース１１８を合わせて図示した斜視図である。更に、図８及び図９は、コイルサポートにおける押さえ機構を拡大して示す斜視図であり、図５乃至図７に示す押さえ機構の変形例を示す図である。また、この図８及び図９においては、トレース１１８を合わせて図示している。
【００５２】
図５乃至図７に示すように、本実施の形態におけるディスク装置は、両面が記録面の１枚のディスクを有するものであるため、２つの記録面それぞれに対応して設けられるサスペンション１１０ａ、１１０ｂ、サスペンション１１０ａ、１１０ｂを支持するそれぞれアーム１１１ａ、１１１ｂを有する。以下、特に区別する必要がない場合には、サスペンション１１０、アーム１１１という。これら２つのアーム１１１は所定の位置関係にてコイルサポート１１２により固定される。本実施の形態におけるコイルサポート１１２は、ＶＣＭコイルを保持すると共にアーム１１１を支持するものであって、例えばモールド樹脂からなり、一体的に成型されてなる。  
【００５３】
アーム１１１のディスク１０１の記録面と対向する対向面とは反対側の反対面上の縁部近傍には、その縁に沿って上述したトレース１１８が配線される。ここで、トレース１１８の一端はヘッド１０５に接続されるため、そのまま延出するとアーム１１１の対向面上を配線されることになる。これに対し、トレース１１８を対向面でなく、ディスク１０１の記録面とは離隔する側の面である反対面に配すれば、ディスクの回転が引き起こす風乱等によるディスクのフラッタ等を抑制することができる。したがって、トレース１１８は、ヘッド１０５が搭載される側である対向面からディスク１０１の記録面と直交する方向である側面をつたってディスク１０１の記録面とは離隔する方の面となる反対面に到るように予め折曲された形状とされている。これにより、アーム１１１のサスペンション１１０との接合部近傍において、トレース１１８は、アーム１１１の対向面から側面を這って反対面上に配される。他端は後述するように略垂直方向に折り曲げられＦＰＣ１１７の端子部と接続される。
【００５４】
コイルサポート１１２は、アーム１１１のサスペンション１１０が固定される端部とは反対側の端部に相当する位置、すなわちアーム１１１を固定する位置に、トレース１１８が配される面とは間隙２０１を隔てて設けられる押さえ部２０２を有し、この間隙２０１及び押さえ部２０２と、後述する開口部２０３とによりトレース１１８の押さえ機構２００が構成される。トレース１１８をこの押さえ機構２００の間隙２０１に挿入することで、トレース１１８をアーム１１１の上記反対面上に這わせた状態として維持させることができる。したがって、トレース１１８は、例えば接着剤などにより固定することなく、アーム１１１の反対面に這わされた状態とされる。
【００５５】
また、コイルサポート１１２の側面部には、例えばステンレスなどの金属からなる裏打ち板２１１が設けられ、この裏打ち板２１１上にてＦＰＣ１１７が固定される。ＦＰＣ１１７はヘッド１０５の信号を増幅するプリアンプなどが搭載されるが、本実施の形態におけるコイルサポート１１２のようにモールド樹脂からなる場合であっても、この裏打ち板２１１によりＦＰＣ１１７にて生じた熱を放熱させることができる。なお、ＦＰＣ１１７にプリアンプを搭載しない場合、又はコイルサポート１１２が金属からなる場合等特に必要ない場合には裏打ち板２１１を設ける必要はない。
【００５６】
図７に示すように、ＦＰＣ１１７の端部は、トレース１１８との接続のための端子部１３１となっており、この端子部１３１に上記プリアンプ１３２、トレース１１８との接続端子１３３などが設けられている。この端子部１３１は、コイルサポート１１２の側面に設けられた上記裏打ち板２１１上にて固定される。この際、裏打ち板２１１は、コイルサポート１１２に形成された位置決めピン２１２及び位置決めピン２０４の２つの位置決めピンにて位置決めされ固定される。
【００５７】
トレース１１８は、上述したように、アーム１１１の反対面上の縁部近傍に沿って配され押さえ機構２００の間隙２０１に挿入される。図８及び図９は、トレース１１８が押さえ機構２００の間隙２０１に挿入された状態を示している。そして、トレース１１８が略垂直方向に曲げられ、コイルサポート１１２の側面部の裏打ち板２１１に固定されたＦＰＣ１１７の上記端子部１３１とレーザ・スポット溶接などにより接続される。この際、押さえ機構２００における押さえ部２０２がアーム１１１上にトレース１１８を位置決め固定すると共に、垂直に曲げられた際の反力による反り返り防止する。よって、間隙２０１は、トレース１１８を挿入又は遊挿することができる幅以上とし、挿入の容易さと、反り返りを防止する機能とを考慮した適当な幅とすればよい。
【００５８】
また、押さえ機構２００の押さえ部（板部）において、トレース１１８の端部を露出させることができる位置に間隙２０１に達する開口部２０３を形成しておくことで、間隙２０１にトレース１１８を遊挿する際、及びトレース１１８とＦＰＣ１１７とを接続する際に、開口部２０３から直接トレース１１８を押さえることができ、作業性を向上させることができる。
【００５９】
この開口部２０３は、図５乃至図７に示すように、縁から凹形状に形成することができる他、図８及び図９に示すように、開口穴２３３を形成するようにてもよい。その他の構成は、押さえ機構２００と同様である。すなわち、本変形例における押さえ機構２３０は、アーム１１１の対向面側から側面をつたって反対面上に配されたトレース１１８が挿入される間隙２３１を隔てて設けられる押さえ部２３２と、押さえ部２３２に設けられトレース１１８を露出する開口穴２３３とから構成される。この場合も同様に、この開口穴２３３からトレース１１８を露出させることができ、開口穴２３３からトレース１１８に直接接触することができるようにすることで、上述の押さえ機構２００と同様に作業性を向上することができる。なお、このような開口部又は開口穴を設けなくてもよいことは勿論である。
【００６０】
本実施の形態においては、コイルサポート１１２のアーム１１１との接合部近傍であって、アーム１１１の反対面の縁部に配されるトレース１１８を挿入するために、トレース１１８が配される面とは間隙２０１を隔てて設けられた押さえ部２０２を有する押さえ機構２００又は押さえ機構２３０を設けることで、レース１１８をアーム１１１の反対面上の縁部に這わせることができ、例えば段差部又は溝などのトレース１１８のガイドを形成することなくトレース１１８とディスク１０１の記録面との接触を回避させることができる。よって、本実施の形態においては、従来のＨＤＤには必要なアームを加工したりするコストを削減することができる。
【００６１】
しかし、反対面上にトレース１１８を配すると、ＦＰＣ１１７との接続の際に対向面側に折曲させる必要が生じ、このままであれば、この折り曲げにより、曲げ部において折り曲げに対する反力によって、トレース１１８がアーム１１８の反対面上から浮き上がってしまう。そこで、本実施の形態においては、押さえ機構２００又は２３０に設けた間隙２０１又は２３１にトレース１１８を挿入して折り曲げることにより、反力により浮き上がろうとするトレース１１８を押さえることができ、よって折り曲げによる浮き上がりを防止することができる。
【００６２】
すなわち、トレース１１８は、アーム１１１の記録面と対向する対向面でなく、記録面からは離隔する側の反対面上に配されることにより、このトレース１１８を特に固定せずとも記録再生時、風乱等による影響を及ぼすことがない。また、押さえ機構２００又は２３０は、これのみでトレース１１８を反対面上からの浮きを防止し維持させる機能を有すると共に、ＦＰＣ１１８との接続のための折り曲げによる反り返しを防止することができる。よって、例えばトレース１１８をアーム１１１に固定せずとも押さえ機構２００又は２３０のみでトレース１１８とディスク１０１との接触を防止する機能を有し、低コストのＨＤＤ１００を提供することが可能となる。
【００６３】
更に、本実施の形態におけるコイルサポート１１２は、モールド樹脂にて一体成型されたものである。モールド樹脂による一体成型であると、複雑な形状であっても一度型を形成すれば製造容易であり、このような押さえ機構などを設けてもコストにほとんど影響することがない。これらのことにより、極めて低コストで生産性が高いキャリッジ部品を提供することができ、よって、ハードディスク装置のコストパフォーマンスを更に向上することができる。
【００６４】
実施の形態２．
次に、本発明の実施の形態２について説明する。実施の形態１が１枚のディスクを有するＨＤＤであったのに対し、本実施の形態は、複数枚のディスクを有する点が異なる。複数枚の磁気ディスクを備える場合には、スピンドル・モータの回転軸方向に所定の間隔で複数枚の磁気ディスクを一体的に保持する。それぞれ各記録面を走査するヘッドを保持するサスペンションを記録面の数だけ用意し、図１のサスペンション１１０と所定の間隔をおいて重なる位置でアームを介してコイルサポート１１２に固定する。
【００６５】
ここで、ＨＤＤを２枚以上のディスクとした場合であって、最上面、最下面又は最上面及び最下面（以下、これらを最外面という。）に記録面を有する場合、これら最外面に対応して設けられるアームにおいては、記録面と離隔する側の反対面を有するため、実施の形態１と同様、アームの反対面上にトレースを配することができる。したがって、対向する箇所に押さえ機構を設けることで、最外面に対して設けられるアームにおいて、反対面からのトレースの浮き上がりを防止することができる。すなわち、アームのいずれか一方にディスクが存在しない場合には、押さえ機構を設けることで、極めて簡単かつ低コストにトレースを配することができる。
【００６６】
なお、本発明は上述した実施の形態のみに限定されるものではなく、本発明の要旨を逸脱しない範囲において種々の変更が可能であることは勿論である。例えば、上述の実施の形態においては、トレースを折り曲げてＦＰＣと接続することとして説明したが、ＦＰＣを折り曲げてトレースと接続するようにしてもよい。この際、押さえ部は、トレースの反対面からの浮き上がりと共に、ＦＰＣの折り曲げによるアーム面からの浮き上がりを防止するものとして機能する。また、ＦＰＣを折り曲げてトレースとトレースが配される面上にて接続する場合、押さえ機構における上述の開口部により、露出したトレース及びＦＰＣの接続部の接続を行えばよい。また、本発明を片面記録の磁気ディスクを備えるＨＤＤに適用することも可能である。
【図面の簡単な説明】
【００６７】
【図１】本発明の実施の形態におけるハードディスク・ドライブの概略構成を示す図である。
【図２】本発明の実施の形態におけるヘッド・サスペンション・アセンブリの構成を示す図である。
【図３】本発明の実施の形態におけるヘッド・サスペンション・アセンブリの構成を示す斜視図である。
【図４】本発明の実施の形態におけるヘッド・サスペンション・アセンブリの構成を示す分解斜視図である。
【図５】本発明の実施の形態におけるキャリッジ部分を示す斜視図である。
【図６】本発明の実施の形態におけるキャリッジ部分を示す図であって、図６とは異なる方向から見た斜視図である。
【図７】本発明の実施の形態におけるアーム・コイルサポート・アセンブリにＦＰＣ及びレースを合わせて図示した斜視図である。
【図８】図５及び図６に示す押さえ機構Ａの変形例を示す図であって、その要部を拡大して示す斜視図である。
【図９】図５及び図６に示す押さえ機構Ａの変形例を示す図であって、図８とは異なる方向から見た場合の斜視図である。
【符号の説明】
【００６８】
１２７  揺動軸、１０７  軸受けユニット、
１０８  キャリッジ、１１０  サスペンション、１１１  アーム、
１１２  コイルサポート、１１３  フラットコイル、
１１４  上側ステータ・マグネット保持板、１１５  ランプ、１１６  タブ、
１１７  ＦＰＣ、１１８  トレース、
２０１  間隙、２０２  押さえ部、２０３  開口部、
２０４，２１２  位置決めピン、２１１  裏打ち板、
４００  ヘッド・サスペンション・アセンブリ、
４０２  マウント・プレート、４０３  ジンバル、４０４  ロード・ビーム、
４３１  ジンバル・タブ、４３２  開口、４３３  ジンバル・タング
【図１】
2006004513.tif 000003
【図２】
2006004513.tif 000004
【図３】
2006004513.tif 000005
【図４】
2006004513.tif 000006
【図５】
2006004513.tif 000007
【図６】
2006004513.tif 000008
【図７】
2006004513.tif 000009
【図８】
2006004513.tif 000010
【図９】
2006004513.tif 000011